(57)【要約】      （修正有）【課題】樹脂成形品としてのリール本体の抜きテーパを含む形状の不具合を除去する機械加工を施すことなく、リール構成部品の高い同心度及び位置決め精度を確保できるとともに、樹脂製のリール本体を肉厚化せずに補強できる魚釣用スピニングリールを提供する。【解決手段】魚釣用スピニングリールは、合成樹脂により成形されるとともに、駆動部材２０が内部に収容される開口した収容凹部１Ａａが形成されるリール本体１と、収容凹部１Ａａの開口を閉塞し、駆動部材２０と同心的に配置される駆動軸部７が貫通する貫通穴３３ａを中心に有するとともに、収容凹部１Ａａの開口の内周面に取着される環状の装着部３３ｂを外周部に有するカバー体３３と、リール本体１に対してカバー体３３が同心的に位置決めされるように収容凹部１Ａａの開口の内周面に嵌着されてリール本体１を補強する環状の機能部材６０とを有する。【選択図】図２
2020150898.tif 000002
【特許請求の範囲】
【請求項１】
合成樹脂により成形されるとともに、駆動部材が内部に収容される開口した収容凹部が形成されるリール本体と、
前記収容凹部の開口を閉塞し、前記駆動部材と同心的に配置される駆動軸部が貫通する貫通穴を中心に有するとともに、前記収容凹部の開口の内周面に直接的に又は間接的に取着される環状の装着部を外周部に有するカバー体と、
を備え、
前記リール本体に対して前記カバー体が同心的に位置決めされるように前記収容凹部の開口の内周面に嵌着されて前記リール本体を補強する環状の機能部材を有することを特徴とする魚釣用スピニングリール。
【請求項２】
前記機能部材は、前記収容凹部の開口の内周面に圧入嵌着されて前記収容凹部の形状を矯正することにより、前記収容凹部の開口の内周面に嵌着される前記カバー体が前記リール本体に対して同心的に位置決めされるようにすることを特徴とする請求項１に記載の魚釣用スピニングリール。
【請求項３】
前記機能部材は、前記収容凹部の開口の内周面に嵌着されるその外周面が前記開口の内周面形状に沿う形状を成すとともに、前記リール本体に対して前記カバー体を同心的に位置決めするための位置決め面をその内周に有し、この位置決め面に前記カバー体が嵌着されることを特徴とする請求項１に記載の魚釣用スピニングリール。
【請求項４】
前記機能部材は、前記カバー体の軸方向の動きを規制することを特徴とする請求項１から３のいずれか一項に記載の魚釣用スピニングリール。
【請求項５】
前記リール本体は、該リール本体を補強するとともに前記機能部材の軸方向の動きを規制するリブを前記収容凹部内に有することを特徴とする請求項１から４のいずれか一項に記載の魚釣用スピニングリール。
【請求項６】
前記カバー体と前記駆動軸部との間の隙間をシールするシール部を更に有することを特徴とする請求項１から５のいずれか一項に記載の魚釣用スピニングリール。
【請求項７】
前記収容凹部は、前記リール本体の前部に形成されるとともに、前記駆動軸部の回転方向を制御する回転制御装置及び軸受を含むリール構成部材を収容することを特徴とする請求項１から６のいずれか一項に記載の魚釣用スピニングリール。
【発明の詳細な説明】
【技術分野】
【０００１】
本発明は、釣糸案内部を有する回転可能なロータと、前後に往復動するスプールとを備える魚釣用スピニングリールに関する。
【背景技術】
【０００２】
魚釣用スピニングリールは、ハンドルを回転自在に支持するリール本体を備え、このリール本体は、釣糸案内部を有するロータを回転駆動させる巻取駆動機構を内蔵している。また、前記巻取駆動機構には、キャスティング時や釣糸巻き取り操作時にロータが逆転しないようにする逆転防止機構が設けられている。
【０００３】
前記巻取駆動機構及び前記逆転防止機構は、他のリール構成部品と共に、リール本体に形成された収容凹部内に収容されて支持されており（例えば、特許文献１及び特許文献２参照）、また、そのような収容凹部を有するリール本体は、その軽量及び低コスト化を図るべく、合成樹脂材により成形されるものが多用されている。
【先行技術文献】
【特許文献】
【０００４】
【特許文献１】特開２００１−２５３３８号公報
【特許文献２】特開２０１２−１９７５２号公報
【発明の概要】
【発明が解決しようとする課題】
【０００５】
ところで、金型を用いてリール本体を樹脂により成形する場合には、離型時に必要な抜きテーパを成形品に設けなければならない。また、樹脂成形の場合、熱収縮による凹み発生の影響も受け易い。
【０００６】
樹脂成形品としてのリール本体におけるこのような抜きテーパや凹みに起因する形状の不具合は、リール本体に対してその構成部品を組み込む際の同心度や位置決め精度に悪影響を与え得る。特に、前記巻取駆動機構や前記逆転防止機構等が収容されて装着支持されるリール本体の収容凹部の部位は、高い同心度や位置決め精度が要求される部位であり、そのような部位では、抜きテーパを含む形状の不具合を解消するべく機械加工が行なわれる。しかしながら、そのような機械加工は、製造工程数及び製造コストを増大させる。
【０００７】
また、樹脂は、軽量であるが、金属に比べて強度が低い。そのため、高い負荷が作用する状況下で釣糸を巻き取る高負荷巻き取り操作時に、巻取駆動機構や逆転防止機構等を収容支持するリール本体の収容凹部が変形し、その影響によって巻取駆動機構や逆転防止機構等の機能が低下する虞がある。したがって、そのような機能低下を防止するべく、樹脂成形品としてのリール本体の肉厚化が必要となり、樹脂成形品の効果的な軽量化が実現できていないのが現状である。
【０００８】
本発明は、上記した問題に着目してなされたものであり、樹脂成形品としてのリール本体の抜きテーパを含む形状の不具合を除去する機械加工を施すことなく、リール構成部品の高い同心度及び位置決め精度を確保できるとともに、樹脂製のリール本体を肉厚化せずに補強できる魚釣用スピニングリールを提供することを目的とする。
【課題を解決するための手段】
【０００９】
上記した目的を達成するために、本発明の魚釣用スピニングリールは、合成樹脂により成形されるとともに、駆動部材が内部に収容される開口した収容凹部が形成されるリール本体と、前記収容凹部の開口を閉塞し、前記駆動部材と同心的に配置される駆動軸部が貫通する貫通穴を中心に有するとともに、前記収容凹部の開口の内周面に直接的に又は間接的に取着される環状の装着部を外周部に有するカバー体とを備え、前記リール本体に対して前記カバー体が同心的に位置決めされるように前記収容凹部の開口の内周面に嵌着されて前記リール本体を補強する環状の機能部材を有することを特徴とする。
【００１０】
上記構成の魚釣用スピニングリールによれば、収容凹部の開口の内周面に機能部材が嵌着されることによって、言い換えると、収容凹部の開口の内周面に対するカバー体の取着に機能部材を関与させることによって、リール本体に対してカバー体が同心的に位置決めされるようになっているため、結果的に、カバー体の中心の貫通穴に貫通される駆動軸部及びこれと同心的に位置される駆動部材のリール本体に対する同心度も確保することができる。つまり、機能部材は、高い同心度や位置決め精度が要求されるリール本体の収容凹部の部位に離型時に必要な抜きテーパや熱収縮に伴う凹みに起因する形状の不具合が存在する場合であっても、これらの不具合を除去する機械加工を不要にして、駆動部材及び駆動軸部並びにこれらに関与するリール構成部品の高い同心度及び位置決め精度を確保する。したがって、機械加工に伴う製造工程数及び製造コストの増大を回避できる。特に、収容凹部を閉塞するカバー体は、正確な同心度を伴って位置決めできないと、収容凹部内の駆動部材と接触して駆動部材の駆動や駆動軸部の回転に支障を来す場合もあり得るため、機能部材の存在は有益である。
【００１１】
また、機能部材は、収容凹部の開口の内周面に嵌着されてリール本体を補強するため、高い負荷が作用する状況下で釣糸を巻き取る高負荷巻き取り操作時であっても樹脂製のリール本体の収容凹部の変形を効果的に抑えることができる。そのため、樹脂製のリール本体を肉厚化によって補強せずに済む。したがって、樹脂製のリール本体のメリット（軽量及び安価）を充分に活かしながら、駆動部材及び駆動軸部を含む駆動機構の性能の安定化を図ることができる。
【００１２】
なお、上記構成において、カバー体は、アルミ等の金属や樹脂、磁性体や非磁性体など、様々な材料によって形成され得る。また、駆動部材としては、駆動軸部の回転を一方向に規制する一方向クラッチや、駆動軸部の回転を高精度に支持する転がり軸受などを挙げることができる。また、駆動軸部としては、例えばスプール軸やピニオンギアを挙げることができる。
【００１３】
また、上記構成において、機能部材は、収容凹部の開口の内周面に圧入嵌着されて収容凹部の形状を矯正することにより、収容凹部の開口の内周面に嵌着されるカバー体がリール本体に対して同心的に位置決めされるようにしてもよい。これによれば、例えば離型時に必要な抜きテーパが収容凹部の開口に形成されており、収容凹部の開口に対するカバー体の取着に際してカバー体と駆動部材及び駆動軸部との間で同心度がとれない形状を収容凹部が成す場合であっても、機能部材は、収容凹部の開口の内周面に嵌着されるカバー体がリール本体に対して（したがって、駆動部材及び駆動軸部に対して）同心的に位置決めされるように収容凹部の開口の内周面に圧入嵌着されて収容凹部の形状を矯正することができる。この場合、機能部材による収容凹部の形状の矯正は、リール本体に対するカバー体の同心度を確保できるだけでなく、収容凹部内に組み込まれるリール構成部品全体のリール本体に対する同心度を確保できることが好ましい。
【００１４】
また、上記構成において、機能部材は、収容凹部の開口の内周面に嵌着されるその外周面が開口の内周面形状に沿う形状を成すとともに、リール本体に対してカバー体を同心的に位置決めするための位置決め面をその内周に有し、この位置決め面にカバー体が嵌着されてもよい。これによれば、機能部材は、収容凹部の形状を矯正することなく、収容凹部の形状に沿うように配置されつつ、その位置決め面によって該位置決め面に嵌着されるカバー体のリール本体に対する同心度を確保できる。言い換えると、機能部材は、例えば離型時に必要な抜きテーパが収容凹部の開口に形成されており、収容凹部の開口に対するカバー体の取着に際してカバー体と駆動部材及び駆動軸部との間で同心度がとれない形状を収容凹部が成す場合であっても、そのような収容凹部の形状の影響をカバー体が受けないようにカバー体と収容凹部との間に介在しつつ、その位置決め面によってリール本体に対するカバー体の同心度を確保できる。また、このような構成によれば、収容凹部の開口の内周面に嵌着される機能部材の外周面を収容凹部を形成する金型（例えば、収容凹部の内周面に抜きテーパを形成する金型）と同じ金型で形成できるという利点もある。
【００１５】
また、上記構成において、機能部材は、カバー体の軸方向の動きを規制してもよい。これによれば、機能部材は、カバー体をリール本体に対して同心的に径方向で位置決めしつつその位置決め状態を軸方向でも維持することができる。
【００１６】
また、上記構成において、リール本体は、該リール本体を補強するとともに機能部材の軸方向の動きを規制するリブを収容凹部内に有してもよい。これによれば、機能部材の軸方向の動きがリブによって規制されるため、機能部材の移動に伴ってカバー体がその同心位置決め状態から逸脱してしまうといった不都合を回避できる。なお、機能部材の軸方向の動きは、リブ以外の構成によって規制されてもよい。例えば、収容凹部の開口を形成するリール本体の部位に機能部材を係合させることにより機能部材の軸方向の移動を規制しても構わない。
【００１７】
また、上記構成では、カバー体と駆動軸部との間の隙間をシールするシール部が更に設けられてもよい。そのようなシール部としては、例えば磁気シールやゴムシール等を挙げることができる。また、シール部が磁気シールの場合、カバー体が磁気シールの極板を兼ねていてもよい。
【００１８】
また、上記構成において、収容凹部は、様々な形態でリール本体に設けられ得る。例えば、収容凹部は、リール本体の前部に形成されてもよく、その場合、駆動軸部の回転方向を制御する回転制御装置及び軸受を含むリール構成部材が収容凹部に収容されてもよい。或いは、収容凹部は、リール本体の側部に形成されてもよく、その場合、釣糸案内部を有するロータを回転駆動させる巻取駆動機構が収容凹部に収容されてもよい。
【発明の効果】
【００１９】
本発明によれば、樹脂成形品としてのリール本体の抜きテーパを含む形状の不具合を除去する機械加工を施すことなく、リール構成部品の高い同心度及び位置決め精度を確保できるとともに、樹脂製のリール本体を肉厚化せずに補強できる魚釣用スピニングリールが得られる。
【図面の簡単な説明】
【００２０】
【図１】本発明の第１の実施形態に係る魚釣用スピニングリールの一部断面を含む側面図である。
【図２】図１の要部拡大断面図である。
【図３】本発明の第２の実施形態に係る魚釣用スピニングリールの図２に対応する断面図である。
【図４】本発明の第３の実施形態に係る魚釣用スピニングリールの図２に対応する断面図である。
【図５】図４のＡ部の部分拡大断面図である。
【図６】機能部材を軸方向で支持する補強リブを伴うリール本体の収容凹部の概略平面図である。
【発明を実施するための形態】
【００２１】
以下、図面を参照しながら本発明に係る魚釣用スピニングリールの実施形態について説明する。
図１及び図２は、本発明に係る魚釣用スピニングリールの第１の実施形態を示す図であり、図１は、内部構成を示した図、図２は、リール本体の収容凹部付近の要部拡大断面図である。
【００２２】
合成樹脂により成形されるスピニングリールのリール本体１には、ハンドル軸２が軸受（図示せず）を介して回転可能に支持されており、ハンドル軸２の端部には、巻き取り操作されるハンドル３が装着されている。ハンドル軸２には、駆動歯車（ドライブギア）４が一体回転可能となるように取り付けられており、駆動歯車４には、ハンドル軸２に対して直交する方向に延出し、軸受５ａ，５ｂを介して回転可能に支持されたピニオンギア（駆動軸部）７の歯部７ａが噛合している。ピニオンギア７の先端部には、ロータナット８を螺合することで、ベール９ａおよび釣糸案内装置９ｂを備えたロータ９が一体回転するように取り付けられている。
【００２３】
ピニオンギア７は、軸方向に沿って貫通しており、その内部には、先端に釣糸が巻回されるスプール１０を保持したスプール軸（駆動軸部）１１が挿通されている。このスプール軸１１の基端側には、公知のオシレーティング機構１３が連結されており、ハンドル軸２がハンドル３の回転操作によって回転されたとき、スプール軸１１は軸方向に沿って往復駆動される。この場合、スプール軸１１には、ロータ９をピニオンギア７に固定するロータナット８を回転可能に支持するように、ロータナット８との間に軸受１４が介在されている。詳細には、スプール軸１１は、ピニオンギア７の先端縁に設置されるカラー部材１５に挿通されており、軸受１４は、カラー部材１５とロータナット８との間に介在されている。
【００２４】
また、ピニオンギア７の中間部には、駆動部材としての一方向クラッチ（ピニオンギア７の回転方向を制御する回転制御装置）２０が配設されており、この一方向クラッチ２０は、ピニオンギア７とリール本体１との間に介在されて、公知のようにピニオンギア７の回転方向を規制制御している。この一方向クラッチ２０は、ハンドル３（ロータ９）の釣糸繰り出し方向の逆回転を防止する公知の逆転防止機構を構成している。
【００２５】
一方向クラッチ２０は、ピニオンギア７に対して回り止め嵌合される内輪２１と、内輪２１の外側に配された保持器２２と、保持器２２の外側に配された外輪２３と、外輪２３の内側で保持器２２によって転動可能に保持された複数の転がり部材（コロ）２５とを備えており、隣接して設置される磁気シール機構３０によってシールされた状態となっている。
【００２６】
外輪２３の内周面には、各転がり部材２５をフリー回転可能にするフリー回転領域と、その回転を阻止する楔領域が形成されており、各転がり部材２５は、保持器２２に設けられたバネ部材（図示せず）によって楔領域側に付勢されている。また、外輪２３は、リール本体１に対して公知のように凹凸係合によって回り止め固定されている。
【００２７】
上記した構成の一方向クラッチ２０において、ピニオンギア７と共に内輪２１が正回転（ロータ９が釣糸巻き取り方向に回転）すると、保持器２２の転がり部材２５が外輪２３のフリー回転領域に位置され、そのため、内輪２１の回転力が外輪２３に伝達されず（外輪２３によって阻止されず）、したがって、ピニオンギア７と共にロータ９が支障なく回転する。これに対して、ピニオンギア７と共に内輪２１が逆回転（ロータ９が釣糸繰り出し方向に回転）しようとすると、保持器２２の転がり部材２５が外輪２３の楔領域に位置するため、これがストッパとなってピニオンギア７及びロータ９の回転（逆回転）が阻止される。
【００２８】
次に、上記構成のスピニングリール内に配設される磁気シール機構３０について説明する。なお、本実施形態の磁気シール機構３０は、一方向クラッチ２０等をシール対象部材としてシールするよう構成されている。
一方向クラッチ２０は、リール本体１の前部に形成される筒部１Ａの内側の収容凹部１Ａａ内に軸受５ａを含む他のリール構成要素等と共に収容されている。一方向クラッチ２０の内輪２１は、磁性体によって構成されており、ピニオンギア７と共に一体回転するようになっている。この場合、内輪２１には、保持器２２及び外輪２３の前端面よりもスプール側に突出する円筒状の突出部２１ａが形成されており、この部分に、磁気シール機構３０が配設されるように構成されている。すなわち、一方向クラッチ２０の構成部材である内輪２１に突出部２１ａを一体形成し、ここに磁気シール機構３０を構成する磁性流体を保持する機能を持たせている。したがって、ピニオンギア７については、非磁性材料（例えば、銅合金、アルミ合金等）によって構成することが可能となる。
【００２９】
磁気シール機構３０は、突出部２１ａに対して所定間隔をおいて配置される磁石３１と、磁石３１を挟持して保持する一対の極板（保持部材）３２，３３と、磁石３１、極板３２，３３、及び、突出部２１ａによって形成される磁気回路に保持される磁性流体３５とを備えている。この場合、磁石３１及び極板３２，３３は、突出部２１ａの外周面から所定の隙間を有するようにリング状に形成されており、各極板３２，３３と突出部２１ａとの間の隙間に、磁性流体３５を全周にわたって保持することを可能としている。すなわち、磁性流体３５は、例えばＦｅ3Ｏ4のような磁性微粒子を、界面活性剤によってベースオイルに分散させて構成されたものであり、粘性があって磁石を近づけると反応する特性を備えている。このため、磁性流体３５は、リング状の磁石３１、これを挟持保持する極板３２，３３、及び、磁性材料で構成される突出部２１ａによって形成される磁気回路によって、各極板３２，３３と突出部２１ａとの間の隙間に、全周にわたって安定して保持され、一方向クラッチ２０をシールする。
【００３０】
ところで、このような磁気シール機構３０は、一方向クラッチ２０等が収容されるリール本体１の収容凹部１Ａａ内を外部に対してシールするものであり、磁気シール機構３０の極板３３を兼ねて収容凹部１Ａａの開口１Ａｂを閉塞するカバー体３３とピニオン軸７（本実実施形態では内輪２１）との間の隙間をシールするシール部を構成する。
【００３１】
収容凹部１Ａａの開口１Ａｂを閉塞するカバー体３３（磁気シール３０の極板）は、一方向クラッチ２０と同心的に配置されるピニオンギア７が貫通する貫通穴３３ａを中心に有するとともに、収容凹部１Ａａの開口１Ａｂの内周面１Ａｅに直接的に取着される環状の装着部３３ｂを外周部に有する。
【００３２】
また、本実施形態では、樹脂で成形されるリール本体１を金型から引き抜く離型時に必要な抜きテーパが収容凹部１Ａａの開口１Ａｂの内周面１Ａｅに形成されており、それに伴って、収容凹部１Ａａの開口１Ａｂに対するカバー体３３の取着に際してカバー体３３と一方向クラッチ２０及びピニオンギア７との間で同心度がとれ難い形状を収容凹部１Ａａが成している。そのため、本実施形態では、リール本体１に対してカバー体３３が同心的に位置決めされるように収容凹部１Ａａの開口１Ａｂの内周面１Ａｅに嵌着されてリール本体１を補強する環状の機能部材６０が設けられている。
【００３３】
特に、本実施形態における機能部材６０は、収容凹部１Ａａの開口１Ａｂの内周面１Ａｅの開口端部側に圧入嵌着されて収容凹部１Ａａの開口端部側形状を真円状に矯正する（凹み変形等の矯正）ことにより、収容凹部１Ａａの開口１Ａｂの内周面１Ａｅに嵌着されるカバー体３３のリール本体１に対する組み込みを容易にするとともにカバー体３３がリール本体１に対して同心的に位置決めされるようにしている。
【００３４】
また、このような同心位置決め機能と補強機能とを兼ね備える機能部材６０は、収容凹部１Ａａの内周面１Ａｅから径方向内側に突出する複数のリブ１Ａｄの上面１Ａｄａによってその下面６０ｂで支持されてその軸方向の動きが規制されている。また、機能部材６０を支持するこれらのリブ１Ａｄは、リール本体１の補強も兼ねており、図６に示されるように例えば対を成して互いに周方向に１２０度の角度間隔を隔てて配置されている。
【００３５】
このような機能部材６０によって同心的に位置決めされるカバー体３３は、その外周の装着部３３ｂの周端縁がリール本体１の筒部１Ａの内周面１Ａｅの開口端部側に形成される環状の段部１Ａｃに係止されるとともに、筒部１Ａに螺着されるキャップ５０により収容凹部１Ａａの外側から抜け止め支持されている。また、本実施形態において、カバー体３３は、機能部材６０の上面６０ａで支持されることによってその軸方向の動きが規制されているが、環状の段部１Ａｃとの係止によっても十分に軸方向移動が規制されているため、敢えて機能部材６０の上面６０ａで支持されなくても構わない。
【００３６】
なお、本実施形態の機能部材６０は、リール本体１の開口１Ａｂの内周面１Ａｅに嵌着されるその嵌着面から上面６０ａへ向けて斜めに延びる傾斜面６０ｃを外周部に有するとともに、肉抜きの段差部６０ｄを内周部に有している。なお、傾斜面６０ｃと内周面１Ａａとの間にＯリング９０を介在させて内部への水の浸入を防止するようにしてもよい。
【００３７】
このような機能部材６０を収容凹部１Ａａの開口１Ａｂの内周面１Ａｅに圧入嵌着すると、収容凹部１Ａａの開口形状が真円状に矯正されて、リール本体１に対してカバー体３３が同心的に位置決めされ、したがって、カバー体３３の中心の貫通穴３３ａに貫通されるピニオンギア７及びこれと同心的に位置される一方向クラッチ２０のリール本体１に対する同心度も維持されて確保される。
【００３８】
以上説明したように、本実施形態によれば、収容凹部１Ａａの開口１Ａｂの内周面１Ａｅに機能部材６０が嵌着されることによって、言い換えると、収容凹部１Ａａの開口１Ａｂの内周面１Ａｅに対するカバー体３３の取着に機能部材６０を関与させることによって、リール本体１に対してカバー体３３が同心的に位置決めされるようになっているため、結果的に、カバー体３３の中心の貫通穴３３ａに貫通されるピニオンギア７及びこれと同心的に位置される一方向クラッチ２０のリール本体１に対する同心度も確保することができる。つまり、機能部材６０は、高い同心度や位置決め精度が要求されるリール本体１の収容凹部１Ａａの部位に離型時に必要な抜きテーパや熱収縮に伴う凹みに起因する形状の不具合が存在する場合であっても、これらの不具合を除去する機械加工を不要にして、一方向クラッチ２０及びピニオンギア７並びにこれらに関与するリール構成部品の高い同心度及び位置決め精度を確保する。したがって、機械加工に伴う製造工程数及び製造コストの増大を回避できる。特に、収容凹部１Ａａを閉塞するカバー体３３は、正確な同心度を伴って位置決めできないと、収容凹部１Ａａ内の一方向クラッチ２０と接触して一方向クラッチ２０の駆動やピニオンギア７の回転に支障を来す場合もあり得るため、機能部材６０の存在は有益である。
【００３９】
また、機能部材６０は、収容凹部１Ａａの開口１Ａｂの内周面１Ａｅに嵌着されてリール本体１を補強するため、高い負荷が作用する状況下で釣糸を巻き取る高負荷巻き取り操作時であっても樹脂製のリール本体１の収容凹部１Ａａの変形を効果的に抑えることができる。そのため、樹脂製のリール本体１を肉厚化によって補強せずに済む。したがって、樹脂製のリール本体１のメリット（軽量及び安価）を充分に活かしながら、一方向クラッチ２０及びピニオンギア７を含む駆動機構の性能の安定化を図ることができる。
【００４０】
また、本実施形態において、機能部材６０は、収容凹部１Ａａの開口１Ａｂの内周面１Ａｅに圧入嵌着されて収容凹部１Ａａの形状を矯正することにより、収容凹部１Ａａの開口１Ａｂの内周面１Ａｅに嵌着されるカバー体３３がリール本体１に対して同心的に位置決めされるようにしている。そのため、本実施形態のように離型時に必要な抜きテーパが収容凹部１Ａａの開口１Ａｂに形成されることにより収容凹部１Ａａの開口１Ａｂに対するカバー体３３の取着に際してカバー体３３と一方向クラッチ２０及びピニオンギア７との間で同心度がとれない形状を収容凹部１Ａａが成す場合であっても、機能部材６０は、収容凹部１Ａａの開口１Ａｂの内周面１Ａｅに嵌着されるカバー体３３がリール本体１に対して（したがって、一方向クラッチ２０及びピニオンギア７に対して）同心的に位置決めされるように収容凹部１Ａａの開口１Ａｂの内周面１Ａｅに圧入嵌着されて収容凹部１Ａａの形状を矯正することができる。
【００４１】
図３は、本発明の第２の実施形態に係る魚釣用スピニングリールの図２に対応する断面図を示している。図示のように、本実施形態では、収容凹部１Ａａ内を外部に対してシールするシール部が、第１の実施形態のような磁気シール３０ではなく、カバー体３３と内輪２１との間に介在するゴムシール４９によって形成されている。したがって、カバー体３３は、磁気シール３０の極板を形成せず、単なる閉塞体として機能する。
【００４２】
また、本実施形態の機能部材６０Ａは、第１の実施形態のような段差部６０ｄを有さないとともに上面６０ａが短いコンパクトな形態を成しているが、この機能部材６０Ａも、第１の実施形態のそれと同様、収容凹部１Ａａの開口１Ａｂの内周面１Ａｅに圧入嵌着されて収容凹部１Ａａの形状を矯正することにより、収容凹部１Ａａの開口１Ａｂの内周面１Ａｅに嵌着されるカバー体３３がリール本体１に対して同心的に位置決めされるようにしている。しかしながら、本実施形態では第１の実施形態のようにカバー体３３が筒部１Ａの環状の段部１Ａｃに係止されていないため、機能部材６０がその上面６０ａによってカバー体３３を支持してカバー体３３の軸方向の動きを規制している。なお、それ以外の構成は第１の実施形態と同じであり、したがって、第１の実施形態と同様の作用効果を得ることができる。
【００４３】
図４は、本発明の第３の実施形態に係る魚釣用スピニングリールの図２に対応する断面図を示している。図示のように、本実施形態では、機能部材によるカバー体の同心位置決め形態が前述の第１及び第２の実施形態と異なる。すなわち、本実施形態の機能部材７０は、収容凹部１Ａａの開口１Ａｂの内周面１Ａｅに嵌着されるその外周面７０ｃが抜きテーパを伴う開口１Ａｂの内周面１Ａｅの形状に沿う形状、すなわち、図５に拡大して明確に示されるように径方向外側に向かって斜めに延びる形状を成すとともに、リール本体１に対してカバー体３３を同心的に位置決めするための位置決め面７０ａをその内周に有し、この位置決め面７０ａにカバー体３３の装着部３３ｂが嵌着されている。すなわち、カバー体３３は、収容凹部１Ａａの開口１Ａｂの内周面１Ａｅに機能部材７０を介して間接的に取着されている。この場合、位置決め面７０ａは、リール本体１の軸方向中心軸と直交する平面（底面）７０ａ１とリール本体１の軸方向中心軸と平行な平面（内周面）７０ａ２とにより形成される段差面として構成されており、カバー体３３をリール本体１と同心的に軸方向及び径方向で位置決めする。また、この機能部材７０は、前述の実施形態と同様に、その下面７０ｂでリブ１Ａｄにより支持されてその軸方向の動きが規制されている。なお、それ以外の構成は、第２の実施形態と同様である。
【００４４】
このような形態の本実施形態によれば、機能部材７０は、内周面１Ａａに形成される抜きテーパを相殺してカバー体３３を同心的にリール本体１に取着する矯正部材として機能し、第１及び第２の実施形態のように収容凹部１Ａａの形状を矯正することなく、収容凹部１Ａａの形状に沿うように配置されつつ、その位置決め面７０ａによって該位置決め面７０ａに嵌着されるカバー体３３のリール本体１に対する同心度を確保できる。言い換えると、機能部材７０は、本実施形態のように離型時に必要な抜きテーパが収容凹部１Ａａの開口１Ａｂに形成されることにより収容凹部１Ａａの開口１Ａｂに対するカバー体３３の取着に際してカバー体３３と一方向クラッチ２０及びピニオンギア７との間で同心度がとれない形状を収容凹部１Ａａが成す場合であっても、そのような収容凹部１Ａａの形状の影響をカバー体３３が受けないようにカバー体３３と収容凹部１Ａａとの間に介在しつつ、その位置決め面７０ａによってリール本体１に対するカバー体３３の同心度を確保できる。また、このような構成によれば、収容凹部１Ａａの開口１Ａｂの内周面１Ａｅに嵌着される機能部材７０の外周面７０ｃを収容凹部１Ａａを形成する金型（収容凹部１Ａａの内周面１Ａｅに抜きテーパを形成する金型）と同じ金型で形成できるという利点もある。
【００４５】
なお、本発明は、前述した実施形態に限定されず、その要旨を逸脱しない範囲で種々変形して実施できることは言うまでもない。例えば、前述した実施形態において、収容凹部は、リール本体の前部に形成されていたが、リール本体の側部に形成されて釣糸案内部を有するロータを回転駆動させる巻取駆動機構を収容しても構わない。また、前述した実施形態では、収容凹部に収容される駆動部材が一方向クラッチであったが、収容凹部に収容される駆動部材は一方向クラッチに限らない。
【符号の説明】
【００４６】
１  リール本体
１Ａａ  収容凹部
１Ａｂ  開口
１Ａｄ  リブ
７  ピニオンギア（駆動軸部）
２０  一方向クラッチ（駆動部材；回転制御装置）
３０  磁気シール（シール部）
３３  カバー体
３３ａ  貫通穴
３３ｂ  装着部
４９  ゴムシール（シール部）
６０，６０Ａ，７０  機能部材
７０ａ  位置決め面
【図１】
2020150898.tif 000003
【図２】
2020150898.tif 000004
【図３】
2020150898.tif 000005
【図４】
2020150898.tif 000006
【図５】
2020150898.tif 000007
【図６】
2020150898.tif 000008